(57)【要約】【課題】低コストであって、かつ、施工の容易な地下空間部の充填工法を提供する。【解決手段】硬質ウレタンフォームの粉砕物を圧縮してブリケット１を成型する工程と、複数のブリケット１を網状袋３に詰めてブリケット集合体２とする工程と、複数のブリケット集合体２を地下空間部４に充填する工程と、充填されたブリケット集合体２に対して発泡樹脂原液をスプレー発泡して固定する工程とを有する。硬質ウレタンフォームの粉砕物として、例えば廃材または廃材の粉砕物を用いることができるため、低コストであり、また、ブリケット１を網状袋３に詰めてブリケット集合体２とした後に地下空間部４に充填し、発泡樹脂原液をスプレー発泡するのみなので、従来の充填工法に比べて施工が容易である。【選択図】図３
2010043503.tif 000002
【特許請求の範囲】
【請求項１】
硬質発泡樹脂の粉砕物を圧縮してブリケットを成型する工程と、
複数の前記ブリケットを網状袋に詰めてブリケット集合体とする工程と、
複数の前記ブリケット集合体を地下空間部に充填する工程と、
充填された前記ブリケット集合体に対して発泡樹脂原液をスプレー発泡して固定する工程とを有する地下空間部の充填工法。
【請求項２】
前記硬質発泡樹脂が、硬質ウレタンフォームであることを特徴とする請求項１に記載の地下空間部の充填工法。
【請求項３】
前記網状袋は、ナイロン繊維から構成されることを特徴とする請求項１又は２に記載の地下空間部の充填工法。
【発明の詳細な説明】
【技術分野】
【０００１】
本発明は、地下空間部を充填し、地盤沈下や地盤陥没を防止するための地下空間部の充填工法に関するものである。
【背景技術】
【０００２】
各地の地中には、採石を行った際に生じた空間部や自然に形成された空洞等の地下空間部が存在する。このような地下空間部は、地盤沈下や地盤陥没等の事故を引き起こし、特に、大谷石採掘後の坑道及び採掘抗といった地下空間部は、大規模の地盤陥没事故を引き起こしている。そのため、これらの地下空間部は、コンクリート、モルタルを充填して固めること等により地盤沈下や地盤沈下等を防止する方法が行われている。また、特許文献１には、フライアッシュと水の混合液をスラリー状として地下空間部に充填する工法が記載されている。さらに、近年、溶融スラグを地下空間部に充填する工法も検討されている。
【０００３】
【特許文献１】特開平８−２８２００号公報
【発明の開示】
【発明が解決しようとする課題】
【０００４】
しかしながら、これらの地下空間部の充填工法は、材料自体のコストや材料の運送費が高価となったり、充填に要する時間が長くなったりする等の問題がある。また、コンクリート等を充填材として充填すると、充填した部分の重量が大きくなり、２次災害の恐れさえある。また、フライアッシュや溶融スラグには、人体に極めて有害な鉛、亜鉛、カドミウム等の重金属が含まれており、充填材として使用する際には地下水の汚染が懸念される。
【０００５】
本発明は上記実情に鑑みてなされたものであり、その課題は、低コストであって、かつ、施工の容易な地下空間部の充填工法を提供することである。
【課題を解決するための手段】
【０００６】
上記課題を解決するため本発明に係る地下空間部の充填工法は、
硬質発泡樹脂の粉砕物を圧縮してブリケットを成型する工程と、
複数の前記ブリケットを網状袋に詰めてブリケット集合体とする工程と、
複数の前記ブリケット集合体を地下空間部に充填する工程と、
充填された前記ブリケット集合体に対して発泡樹脂原液をスプレー発泡して固定する工程とを有することを特徴とする。
【０００７】
硬質発泡樹脂の粉砕物を圧縮してブリケットを成型する。ここで、粉砕物とは、微粉砕から粗粉砕まで幅広い粒度範囲で粉砕されたものを含む概念である。このブリケットを網状袋に複数詰めてブリケット集合体とする。このようなブリケット集合体を複数準備し、複数のブリケット集合体を地下空間部に充填する。その後、充填されたブリケット集合体に対して発泡樹脂原液をスプレー発泡して固定することにより、地下空間部の充填が完了する。
【０００８】
上記の構成によれば、地下空間部を容易に充填することができ、地盤沈下や地盤陥没を防止することができる。硬質発泡樹脂の粉砕物として、例えば廃材または廃材の粉砕物を特に制限なく本発明に用いることができるため、低コストであり、廃材のリサイクルを有効に図ることができる。ブリケットを網状袋に詰めてブリケット集合体とした後に地下空間部に充填し、発泡樹脂原液をスプレー発泡するのみなので、従来の充填工法に比べて施工が容易である。また、ブリケットを網状袋に詰めたブリケット集合体を地下空間部に充填するので、充填後にブリケットが崩れ落ちてくることを防止することができる。また、ブリケットを網状袋に詰めてブリケット集合体としているので、ブリケット集合体は変形可能であり、積み重ねしやすく、さまざまな形状の地下空間部にも隙間なく充填しやすい。さらに、充填されたブリケット集合体に対して発泡樹脂原液をスプレーする際にも、網状袋は発泡樹脂原液を透過するのでブリケット集合体を固定しやすい。
【０００９】
本発明に係る地下空間部の充填工法において、前記硬質発泡樹脂が、硬質ウレタンフォームであることが好ましい。
【００１０】
硬質ウレタンフォームは、熱可撓性樹脂フォームと異なり、廃材のリサイクルが困難であるため、埋め立て処理されることが多い。本発明にかかる地下空間部の充填方法において硬質ウレタンフォームを使用することで、硬質ウレタンフォームのリサイクルを有効に図ることができる。
【００１１】
本発明に係る地下空間部の充填工法において、前記網状袋は、ナイロン繊維から構成されることが好ましい。
【００１２】
ナイロン繊維は、強くて丈夫であり、耐久性もあるので、本発明に係る地下空間部の充填工法での使用に適している。また、ナイロン繊維は、有害物質も含まないので生態系に対しても安全である。
【発明を実施するための最良の形態】
【００１３】
以下、本発明の好適な実施の形態を図面に基づいて説明する。初めに、ブリケット集合体について、図１を用いて説明する。
【００１４】
＜ブリケット集合体について＞
ブリケット集合体を構成するブリケット１の外観形状を図１に示す。ブリケット１は、工場で発生する硬質ウレタンフォームの廃材や廃材の粉砕物を油圧のプレス機等により圧縮されて成型される。廃材を圧縮してブリケット１とすることで、廃材をそのまま運搬する場合に比べて、運送費が安くなる。本実施形態においては、ブリケット１は、硬質ウレタンフォームの廃材を約６分の１程度の体積に圧縮し、直径を約１００ｍｍ、高さを約５０〜１００ｍｍの円筒状に成型したが、ブリケット１の形状、サイズ、および圧縮の程度等は、硬質ウレタンフォームの種類等によって適宜変更する。
【００１５】
ブリケット集合体２の外観形状を図２に示す。ブリケット集合体２は、複数のブリケット１を網状袋３の中に詰めて成形する。ブリケット集合体２は、直径が約５００ｍｍ、長さが約１５００ｍｍの略円筒状となるように成形したが、ブリケット１を網状袋３に詰めているだけなので、ブリケット集合体２の形状は変形可能となっている。そのため、ブリケット集合体２は積み重ねしやすく、さまざまな形状の隙間にも充填しやすい。
【００１６】
網状袋３は、ナイロン繊維から構成されており、その網目の大きさは１０〜３０ｍｍが好ましい。網目が大きすぎると、ブリケット１が壊れた際に硬質ウレタンフォームの廃材が網状袋３からこぼれ落ちてしまい、逆に網目が小さすぎると、スプレーした発泡樹脂原液（後述する）が網状袋３の中に浸透し難い。
【００１７】
＜地下空間部の充填要領＞
本発明にかかる地下空間部の充填工法を用いた充填要領について、図３を用いて説明する。地下空間部４は、例えば、大谷石等採掘後の坑道及び採掘抗、または、自然に形成された空洞等であって、紙面に垂直な方向に延びているものとする。ここでは、図の横方向を地下空間部４の水平方向、図の縦方向を地下空間部４の鉛直方向として説明を行う。
【００１８】
初めに、図３（ａ）に示すように、複数のブリケット集合体２を地下空間部４の水平方向及び鉛直方向に並べて設置する。鉛直方向へは３段程度積み上げる。この並べられたブリケット集合体２に対して硬質ウレタンフォームの発泡原液（発泡樹脂原液に相当）をスプレーして発泡させる。なお、発泡原液を液状のまま注入すると、多量の発泡原液がブリケット１同士の隙間に入り込んでしまい使用量が多くなり過ぎるので、発泡原液はスプレーするのが好ましい。ブリケット集合体２は、網状袋３に詰め込まれた複数のブリケット１から構成されており、スプレーされた発泡原液は、網状袋の網目を透過し、ブリケット１同士を結合させて、ブリケット集合体２全体を固定化させる。また、同時に隣り合ったブリケット集合体２同士も結合されるので全体として強度が上がる。
【００１９】
次に、図３（ｂ）に示すように、固定化されたブリケット集合体２の上段に、同様にしてブリケット集合体２を積み上げ、固定化する。この工程を順次繰り返すことによって、地下空間部４全体を充填する。
【００２０】
なお、地下空間部４の奥行き方向（紙面に垂直方向）に１列ずつ施工し、順次地下空間部４の最奥部から手前方向へ施工していってもよく、また、地下空間部４の水平面全体を最下部から順次上方へ施工していってもよい。
【００２１】
以上のように、本発明に係る地下空間部の充填工法によれば、低コストで、かつ、容易に地下空間部４を充填することができる。さらに、硬質ウレタンフォームは軽量であるため、従来のコンクリート等を充填材として充填する工法に比べて、２次災害の恐れも少ない。また、硬質ウレタンフォームは、地下水による流出が懸念される重金属等を含まず、場合によればフィルターの役目を果たすことも考えられる。
【００２２】
＜別実施形態＞
硬質発泡樹脂としては、硬質ウレタンフォームに限定されず、その他発泡スチロール等を用いることができる。また、上記の実施形態では、網状袋３の材質をナイロン繊維としたが、これに限られず、十分な強度と安全性が確保されればその他のものでも構わない。
【図面の簡単な説明】
【００２３】
【図１】ブリケットの外観形状を示す斜視図
【図２】ブリケット集合体の外観形状を示す斜視図
【図３】地下空間部の充填要領を説明する正面図
【符号の説明】
【００２４】
１    ブリケット
２    ブリケット集合体
３    網状袋
４    地下空間部
【図１】
2010043503.tif 000003
【図２】
2010043503.tif 000004
【図３】
2010043503.tif 000005